(57)【要約】【課題】電動リールのバッテリにおいて、安価でかつ交換容易な、釣行に十分な容量の電源を提供する。【解決手段】電動リール１００のバッテリ２０は、電動リール１００に接続される第１端子部２１ｃ及び給電制御を行う制御部２１ｅを有する本体部２１と、本体部２１と着脱可能に別体で設けられ電池２２ｂを有する電源ユニット２２とを有している。【選択図】図７
2013153667.tif 000002
【特許請求の範囲】
【請求項１】
釣竿に装着された電動リールに電力を供給する電動リールのバッテリであって、
前記電動リールに電気的に接続される第１端子部と、前記第１端子部と別に設けられた第２端子部と、各種の制御を行う制御部とを有する本体部と、
前記本体部と別体で設けられ、前記第２端子部に電気的に接続される第３端子部と、前記制御部によって給電を行う電池とを有する電源ユニットと、
前記本体部に前記電源ユニットを着脱可能に固定する固定手段と、
を備えた電動リールのバッテリ。
【請求項２】
前記電源ユニットは、前記電池を保護する保護装置をさらに有している、請求項１に記載の電動リールのバッテリ。
【請求項３】
前記第１端子部は、前記電動リールに設けられたリールコネクタ部に接続される、請求項１又は２に記載の電動リールのバッテリ。
【請求項４】
前記第１端子部は、一端が前記電動リールに接続されるコードの他端に設けられたコードコネクタ部に接続される、請求項１又は２に記載の電動リールのバッテリ。
【請求項５】
前記第２端子部及び前記第３端子部は、前記本体部及び前記電源ユニットの対向する接合面に設けられている、請求項１から４のいずれか１項に記載の電動リールのバッテリ。
【請求項６】
前記固定手段は、前記本体部に設けられた係止部と、前記電源ユニットに設けられ前記係止部が係止される被係止部とを有している、請求項１から５のいずれか１項に記載の電動リールのバッテリ。
【請求項７】
前記固定手段は、前記本体部に設けられた第１ねじ部と、前記電源ユニットに設けられ前記第１ねじ部が螺合する第２ねじ部とを有している、請求項１から５のいずれか１項に記載の電動リールのバッテリ。
【請求項８】
前記本体部を前記電動リール又は前記釣竿に連結する本体連結手段をさらに備えている、請求項１から７のいずれか１項に記載の電動リールのバッテリ。
【請求項９】
前記電池は、二次電池であり、
前記制御部は、前記第１端子部に所定電圧以上の電源が接続されたと判断したとき、前記二次電池に充電を行う、請求項１から８のいずれか１項に記載の電動リールのバッテリ。
【請求項１０】
前記二次電池は、リチウムイオン電池である、請求項９に記載の電動リールのバッテリ。
【発明の詳細な説明】
【技術分野】
【０００１】
本発明は、バッテリ、特に、釣竿に装着された電動リールに電力を供給する電動リールのバッテリに関する。
【背景技術】
【０００２】
一般に、釣竿に装着される電動リールは、スプールを回転させて釣り糸を巻き取るためのモータを有している。このモータはバッテリに電気的に接続されたコードにより電力が供給される。コードの一端は、バッテリに設けられたバッテリコネクタ部の端子に接続される鰐口クリップ等のコードコネクタ部を有している。コードの他端は、リールに設けられたリールコネクタ部の雄ねじ部に螺合する雌ねじ部を有している。このような電動リールでは、バッテリコネクタ部にコードコネクタ部の鰐口クリップを接続し、コードの他端の雌ねじ部をリールコネクタ部の雄ねじ部に接続すると、リール内部の配線によりモータに電気的に接続され、これによりバッテリの電力が電動リールへ供給される。
【０００３】
このような電動リールは、たとえば小型の電動リールであって、釣竿に電動リールを装着した状態でしゃくり動作等を行う場合には、電動リールとバッテリとの間のコードがしゃくり動作の邪魔になるおそれがある。そこで、電動リールのリールコネクタ部にバッテリのバッテリコネクタ部を直付けすることによって電動リールにバッテリを取り付けたものが知られている（たとえば、特許文献１参照）。
【先行技術文献】
【特許文献】
【０００４】
【特許文献１】特許第４２９９８１５号公報
【発明の概要】
【発明が解決しようとする課題】
【０００５】
前記従来の電動リールのバッテリは、電動リールに一体化して用いるため重量・サイズが制限され、２Ａｈ程度の容量となってしまう。これだと、一日の釣行には不足するため、釣人は予備のバッテリを持参する必要が出てくる。従来の電動リールのバッテリはバッテリコネクタ部等の部品を一体で付属させているため、比較的高額で、予備を含めて複数個を用意するのは経済的に負担が大きい。また、釣りの途中で、その都度リールコネクタ部からバッテリを外して交換しなくてはならない。
【０００６】
本発明の課題は、電動リールのバッテリにおいて、安価でかつ交換容易な、釣行に十分な容量の電源を提供することにある。
【課題を解決するための手段】
【０００７】
発明１に係る電動リールのバッテリは、釣竿に装着された電動リールに電力を供給する電動リールのバッテリであって、本体部と、電源ユニットと、固定手段とを備えている。本体部は、第１端子部と、第２端子部と、制御部とを有している。第１端子部は、電動リールに電気的に接続される。第２端子部は、第１端子部と別に設けられている。制御部は、各種の制御を行う。電源ユニットは、本体部と別体で設けられ、第３端子部と、電池とを有している。第３端子部は、第２端子部に電気的に接続される。電池は、制御部によって給電を行う。固定手段は、本体部に電源ユニットを着脱可能に固定する。
【０００８】
このバッテリでは、電動リールに電気的に接続される第１端子部及び給電制御を行う制御部を有する本体部と、本体部と着脱可能に別体で設けられ電池を有する電源ユニットとを有している。ここでは、電池を有する電源ユニットが本体部と着脱可能に別体で設けられているので、従来のように釣りの途中でリールコネクタ部からバッテリをまるごと外して交換しなくても、本体部の第１端子部をリールコネクタ部に装着したまま電池を有する電源ユニットだけ交換すればよくなる。さらに、ここでは、第１端子部及び制御部を有する本体部が１つあれば、電池を有する電源ユニットを複数個用意するだけでバッテリを交換できるので、一日の釣行に十分な容量の電源を従来に比して安価に得ることができる。したがって、安価でかつ交換容易な、釣行に十分な容量の電源を提供できる。
【０００９】
発明２に係るバッテリは、発明１のバッテリにおいて、電源ユニットは、電池を保護する保護装置をさらに有している。この場合、電源ユニットに電池及び電池を保護する保護装置が設けられているので、たとえば、電源ユニットの誤使用による過充電、過放電、過電流を防止できる。
【００１０】
発明３に係るバッテリは、発明１又は２のバッテリにおいて、第１端子部は、電動リールに設けられたリールコネクタ部に接続される。この場合、たとえば、小型のバッテリの第１端子部を電動リールのリールコネクタ部に接続することによって、小型のバッテリを直に電動リールに取り付けることができる。
【００１１】
発明４に係るバッテリは、発明１又は２のバッテリにおいて、第１端子部は、一端が電動リールに接続されるコードの他端に設けられたコードコネクタ部に接続される。この場合、たとえば、プラグ形状のコネクタや鰐口クリップを第１端子部に接続できる。
【００１２】
発明５に係るバッテリは、発明１又は２のバッテリにおいて、第２端子部及び第３端子部は、本体部及び電源ユニットの対向する接合面に設けられている。この場合、本体部に電源ユニットを装着したときに、第２端子部及び第３端子部が外部に露出しなくなるので、第２端子部及び第３端子部が海水等に曝されにくくなる。
【００１３】
発明６に係るバッテリは、発明１から５のいずれかのバッテリにおいて、固定手段は、本体部に設けられた係止部と、電源ユニットに設けられ係止部が係止される被係止部とを有している。
【００１４】
発明７に係るバッテリは、発明１から５のいずれかのバッテリにおいて、固定手段は、本体部に設けられた第１ねじ部と、電源ユニットに設けられ第１ねじ部が螺合する第２ねじ部とを有している。この場合、ねじ結合により、本体部と電源ユニットとの着脱が容易になる。
【００１５】
発明８に係るバッテリは、発明１から７のいずれかのバッテリにおいて、本体部を電動リール又は釣竿に連結する本体連結手段をさらに備えている。この場合、本体連結手段によって、小型のバッテリを電動リール又は釣竿に連結できる。
【００１６】
発明９に係るバッテリは、発明１から８のいずれかのバッテリにおいて、電池は、二次電池である。制御部は、第１端子部に所定電圧以上の電源が接続されたと判断したとき、二次電池に充電を行う。この場合、制御部による充電制御によって、誤充電を防止できる。
【００１７】
発明１０に係るバッテリは、発明９のバッテリにおいて、二次電池は、リチウムイオン電池である。この場合、高電圧、大電力で給電可能であるとともに、電源ユニットを軽量化、コンパクト化できる。
【発明の効果】
【００１８】
本発明によれば、電動リールのバッテリにおいて、電動リールに電気的に接続される第１端子部及び給電制御を行う制御部を有する本体部と、本体部と着脱可能に別体で設けられ電池を有する電源ユニットとを有しているので、安価でかつ交換容易な、釣行に十分な容量の電源を提供できる。
【図面の簡単な説明】
【００１９】
【図１】本発明の一実施形態を採用した電動リールの斜視図。
【図２】前記電動リールの左側面断面図。
【図３】前記電動リールの左側面図。
【図４】本発明の一実施形態を採用したバッテリの斜視図。
【図５】他の実施形態の図４に相当する図。
【図６】他の実施形態の図４に相当する図。
【図７】他の実施形態の図４に相当する図。
【図８】他の実施形態の図４に相当する図。
【発明を実施するための形態】
【００２０】
本発明の一実施形態が採用された電動リール１００は、図１から図３に示すように、外部電源から供給された電力により駆動されるとともに、手巻きリールとして使用するときの電源を内部に有する小型の電動リールである。また、電動リール１００は糸繰り出し長さ又は糸巻取長さに応じて仕掛けの水深を表示する水深表示機能を有するリールである。電動リール１００は、釣竿Ｒに装着可能なリール本体１と、リール本体１の側方に配置されたスプール１０の回転用のハンドル２と、ハンドル２のリール本体１側に配置されたドラグ調整用のスタードラグ３と、水深表示用のカウンタケース４とを備えている。
【００２１】
リール本体１は、図１から図３に示すように、左右１対の第１側板７ａ及び第２側板７ｂと、第１側板７ａ及び第２側板７ｂを下部及び前部で連結する第１連結部材７ｃ及び第２連結部材７ｄとからなるフレーム７と、フレーム７の左右を覆う左右の第１側カバー８ａ及び第２側カバー８ｂと、フレーム７の前部を覆う前カバー９とを有している。第２側カバー８ｂには、ハンドル２の回転軸が回転自在に支持されている。ハンドル２の支持部分の上方には、モータ１２を複数段階に制御するための速度調整レバー５が揺動自在に支持されている。第１側カバー８ａの前部底面には、下方に突出する膨出部８ｃが形成されており、膨出部８ｃの下面には、後述するバッテリ２０の第１端子部２１ｃが下方から接続されるリールコネクタ部１９が形成されている。
【００２２】
また、リール本体１の下部の第１連結部材７ｃには、釣竿Ｒに装着するための竿取付脚部１４が一体形成されている。リール本体１の前部の第２連結部材７ｄは、スプール１０の前方に筒状に形成されており、内部にスプール１０を駆動するモータ１２が固定されている。前カバー９には、釣り糸通過用の横長の開口部９ａが形成されている。リール本体１の内部には、モータ１２及びハンドル２に連結されたスプール１０が回転自在に支持されている。また、リール本体１の後部には、ハンドル２及びモータ１２とスプール１０との駆動伝達をオン、オフする図示しないクラッチ操作部材１１が配置されている。このクラッチ操作部材１１をオン操作すると、仕掛けの自重による糸繰り出し中に、糸繰り出し動作を停止できる。
【００２３】
また、リール本体１の内部には、図２に示すように、スプール１０に連動して動作するレベルワインド機構１３やハンドル２の回転をスプール１０に伝達する図示しない伝達機構等が設けられている。レベルワインド機構１３は、スプール１０と連動して釣り糸をスプール１０に均一に巻き取るために設けられている。リール本体１の第１側板７ａ及び第２側板７ｂの上部に、図１及び図２に示すように、釣り糸の先に装着された仕掛けの水深を表示するカウンタケース４が固定されている。カウンタケース４には、上面に配置された液晶ディスプレイ（ＬＣＤ）からなる表示部６と、表示部６の後方に左右方向に並べて配置された２つの第１スイッチＳＷ１及び第２スイッチＳＷ２とが装着されている。第１スイッチＳＷ１は、たとえば、０セット用のスイッチであり、第２スイッチＳＷ２は、たとえば、棚メモ等のメモリ用のスイッチである。
【００２４】
リール本体１の第１側カバー８ａの前部底面には、図３に示すように、バッテリ取付手段３０である第１取付部３１が設けられ、バッテリ２０の電源ユニット２２には、図３及び図４に示すように、バッテリ取付手段３０である第２取付部３２が設けられており、第１取付部３１に第２取付部３２を取り付けることによって、バッテリ２０はリール本体１の第１側カバー８ａの底部に着脱自在に装着されている。
【００２５】
バッテリ２０は、図４に示すように、電動リール１００に電力を供給するための繰り返し充電可能な二次電池である。バッテリ２０は、図４に示すように、ボトルの上側（入口側）の胴部分を長手方向と直交する方向に切断した形状の本体部２１と、ボトルの下側（底側）の切断した残りの胴部分となる形状の電源ユニット２２とを有しており、後述する固定手段２３によって本体部２１に電源ユニット２２を固定したとき、バッテリ２０の全体形状がボトル形状になっている。バッテリ２０は、電動リール１００に接続される第１端子部２１ｃ及び充電・給電制御を行う制御部２１ｅを有する本体部２１と、本体部２１と着脱可能に別体で設けられ内部に電池２２ｂを有する電源ユニット２２と、本体部２１に電源ユニット２２を着脱可能に固定する固定手段２３とを有している。
【００２６】
本体部２１は、図４に示すように、第１本体２１ａと、第１本体２１ａの上部の先端から一体的に延びるバッテリコード２１ｂと、バッテリコード２１ｂの先端に設けられた第１端子部２１ｃと、第１本体２１ａの下部の２箇所に凹んで設けられた第２端子部２１ｄと、第１本体２１ａの内部に設けられ充電・給電制御を行う制御部２１ｅと、第１本体２１ａの下側部の２箇所に設けられた係止部２１ｆと、第１本体２１ａの下部に突出して設けられた突起部２１ｇとを有している。
【００２７】
第１本体２１ａは、図４に示すように、上部にバッテリコード２１ｂが一体的に設けられ、下部に第２端子部２１ｄが設けられている。第１本体２１ａの内部には、充電・給電制御を行う制御部２１ｅが設けられている。バッテリコード２１ｂの先端部には、第１端子部２１ｃが一体的に設けられている。第１端子部２１ｃは、電動リール１００のリールコネクタ部１９に接続されるコネクタである。第２端子部２１ｄは、後述する電源ユニット２２の第３端子部２２ｃが接続されるコネクタである。制御部２１ｅは、電動リール１００への給電制御及び後述する電源ユニット２２の電池２２ｂへの充電制御を行うものである。制御部２１ｅは、第１端子部２１ｃに所定電圧（たとえば、２０Ｖ）以上の電源が接続されたと判断したとき、電池２２ｂに充電を行う。係止部２１ｆは、鉤状の係止突起であって、後述する電源ユニット２２の被係止部２２ｅに弾性係止される。突起部２１ｇは、本体部２１に電源ユニット２２を固定したときに、後述する電源ユニット２２の通電スイッチ２２ｆをオンにする突起である。
【００２８】
電源ユニット２２は、図４に示すように、第２本体２２ａと、第２本体２２ａの内部に設けられた電池２２ｂと、第２本体２２ａの上部の２箇所に突出して設けられ第２端子部に電気的に接続される第３端子部２２ｃと、電池２２ｂを保護する制御回路である保護装置２２ｄと、第２本体２２ａの上側部の２箇所に設けられ係止部２１ｆが係止される被係止部２２ｅと、第２本体２２ａの上部に凹んで設けられ突起部２１ｇによってオン（第３端子部２２ｃから第２端子部２１ｄへの通電が可能な状態）にされる通電スイッチ２２ｆとを有している。
【００２９】
第２本体２２ａは、図４に示すように、第１本体２１ａと着脱可能に別体で設けられている。第２本体２２ａの上面は、第１本体２１ａの下面と同一形状になるように形成されており、本体部２１に電源ユニット２２を固定したときに、外形が滑らかに連結される。電池２２ｂは、第２本体２２ａの内部に設けられたリチウムイオンポリマー素子からなるリチウムイオン電池であって、繰り返し充電可能な二次電池である。電池２２ｂは、第２本体２２ａの内部の大部分を占有している。電池２２ｂには、保護装置２２ｄ及び通電スイッチ２２ｆが電気的に接続されており、保護装置２２ｄによって、過充電、過放電、過電流を防止され、通電スイッチ２２ｆによって、本体部２１に電源ユニット２２が固定されたときのみ第３端子部２２ｃから第２端子部２１ｄへ通電するようになっている。第３端子部２２ｃは、第２端子部２１ｄに接続されるコネクタであって、第２端子部２１ｄ及び第３端子部２２ｃは、第１本体２１ａ及び第２本体２２ａの対向する接合面に設けられており、本体部２１に電源ユニット２２を固定したときに、第２端子部２１ｄ及び第３端子部２２ｃが外部に露出しないようになっている。被係止部２２ｅは、係止部２１ｆが弾性係止される係止凹部であって、第２本体２２ａの上側部の２箇所に設けられている。通電スイッチ２２ｆは、第２本体２２ａの上部に設けられた凹部に配置されたオン、オフスイッチである。本体部２１に電源ユニット２２を固定したときに、突起部２１ｇが挿入されて第３端子部２２ｃから第２端子部２１ｄへの通電が可能な状態（オン）となる。本体部２１から電源ユニット２２を取り外したときに、突起部２１ｇが離反して第３端子部２２ｃから第２端子部２１ｄへの通電が不能な状態（オフ）となる。
【００３０】
固定手段２３は、図４に示すように、本体部２１に電源ユニット２２を着脱可能に固定する手段であって、本体部２１に設けられた係止部２１ｆと、電源ユニット２２に設けられ被係止部２２ｅとを有している。係止部２１ｆは、前述したように、鉤状の係止突起であって、電源ユニット２２の被係止部２２ｅである係止凹部に弾性係止されることによって、本体部２１に電源ユニット２２が固定される。
【００３１】
このようなバッテリ２０は、本体部２１及び電源ユニット２２のセットで構成された商品や、電源ユニット２２単体で構成された商品として提供可能である。このため、このバッテリ２０を初めて使用する釣人は、本体部２１及び電源ユニット２２のセットを購入し、このバッテリ２０を既に使用している釣人は、電源ユニット２２の電池２２ｂが経年劣化したときに、電源ユニット２２を交換すればよい。
【００３２】
電源ユニット２２の外側面には、バッテリ取付手段３０である第２取付部３２が着脱可能に別体で形成されている。第２取付部３２は、表面が電動リール１００の第１取付部３１に着脱可能に係止される面ファスナであって、裏面が電源ユニット２２の外側面に接着固定されている。一方、電動リール１００の第１取付部３１は、図３に示すように、表面がバッテリ２０の第２取付部３２に着脱可能に係止される面ファスナであって、裏面がリール本体１の第１側カバー８ａの底面に別体で接着固定されている。バッテリ２０は、図３に示すように、リール本体１の第１側カバー８ａの底部に横向き（電源ユニット２２の長手方向がリール本体１の前後方向となる向き）に第１端子部２１ｃが後方に位置するように着脱自在に装着されている。
【００３３】
この電動リール１００では、リール本体１の第１側カバー８ａの底面に設けられた第１取付部３１の面ファスナに、電源ユニット２２の外側面に設けられた第２取付部３２の面ファスナを取り付けることによって、電動リール１００にバッテリ２０を取り付けている。そして、バッテリ２０の第１端子部２１ｃを電動リール１００のリールコネクタ部１９に接続することによって、バッテリ２０の電力が電動リール１００に供給される。
【００３４】
この電動リール１００のバッテリ２０は、電動リール１００に接続される第１端子部２１ｃ及び給電制御を行う制御部２１ｅを有する本体部２１と、本体部２１と着脱可能に別体で設けられ電池２２ｂを有する電源ユニット２２とを有している。ここでは、電池２２ｂを有する電源ユニット２２が本体部２１と着脱可能に別体で設けられているので、従来のように釣りの途中でリールコネクタ部１９からバッテリ２０をまるごと外して交換しなくても、本体部２１の第１端子部２１ｃをリールコネクタ部１９に装着したまま電池２２ｂを有する電源ユニット２２だけ交換すればよくなる。さらに、ここでは、第１端子部２１ｃ及び制御部２１ｅを有する本体部２１が１つあれば、電池２２ｂを有する電源ユニット２２を複数個用意するだけでバッテリ２０を交換できるので、一日の釣行に十分な容量の電源を従来に比して安価に得ることができる。したがって、安価でかつ交換容易な、釣行に十分な容量の電源を提供することができる。
【００３５】
〔他の実施形態〕
（ａ）  前記実施形態では、小型の電動リール１００を例にあげて説明したが、電動リール１００の大きさや形状はこれに限定されるものではない。
【００３６】
（ｂ）  前記実施形態では、バッテリ２０はバッテリコード２１ｂを有するボトル形状であったが、図５に示すように、バッテリコード２１ｂを設けないで第１端子部２１ｃをリールコネクタ部１９に直接接続可能なボトル形状であってもよい。
【００３７】
（ｃ）  前記実施形態では、本体部２１の係止部２１ｆを電源ユニット２２の被係止部２２ｅを係止することによって、本体部２１に電源ユニット２２を固定していたが、図６に示すように、本体部２１に設けた雌ねじ部２１ｈを電源ユニット２２に設けた雄ねじ部２２ｇに螺合することによって、本体部２１に電源ユニット２２を固定してもよい。
【００３８】
（ｄ）  前記実施形態では、ボトル形状のバッテリ２０を例にあげて説明したが、バッテリ２０の形状はこれに限定されるものではなく、図７及び図８に示すように、船上に載置可能なバッテリ２０であってもよい。なお、図７に示すバッテリ２０では、第１端子部２１ｃは、電動リール１００のリールコネクタ部１９や先端部がリールコネクタ部１９に接続されるコードのコネクタ部が接続可能な端子である。また、図８に示すバッテリ２０では、第１端子部２１ｃは、リールコネクタ部１９に接続されるコードの先端に形成された２つの鰐口クリップが接続可能な略Ｌ字状の金属棒からなる端子である。
【００３９】
（ｅ）  図７に示すように、本体部２１の側部には、釣竿Ｒの外周部に係止可能に半円弧状に湾曲した連結部２１ｉを設け、本体部２１を釣竿Ｒに連結してもよい。また、連結部２１ｉは、図７の形状に限定されるものではなく、たとえば板状に形成してねじ等で電動リール１００の底部に連結してもよい。
【００４０】
（ｆ）  図７に示すように、本体部２１の第１端子部２１ｃの側部には、第１端子部２１ｃに接続されたリールコネクタ部１９やコードのコネクタ部が離反しないようにねじ固定するダイヤルである固定部２１ｊを設けてもよい。ここでは、固定部２１ｊを時計回りに回転させると、第１端子部２１ｃに接続されたリールコネクタ部１９が固定され、固定部２１ｊを反時計回りに回転させると、第１端子部２１ｃに接続されたリールコネクタ部１９やコードのコネクタ部が取り外し可能な状態になる。
【００４１】
（ｇ）  前記実施形態では、電池２２ｂはリチウムイオン電池であったが、ニッケル水素電池や鉛蓄電池等の他の二次電池であってもよい。また、電池２２ｂに一次電池を用いて、制御部２１ｅに給電制御のみ行うようにしてもよい。
【００４２】
（ｈ）  前記実施形態では、電源ユニット２２に保護装置２２ｄを設けていたが、本体部２１に保護装置２２ｄを設けてもよい。
【００４３】
（ｉ）  電源ユニット２２からさらに電池２２ｂを交換可能に構成してもよい。この場合、第２本体２２ａや第３端子部２２ｃを残して経年劣化した電池２２ｂのみを交換できるので、さらに経済的である。
【００４４】
（ｊ）  本体部２１に電動リール１００のカウンタ装置のみを駆動する補助電源（電池やコンデンサ）を設けてもよい。この場合、電源ユニット２２を交換している間も電動リール１００のカウンタ装置が稼動するので、釣りを続けることができ、電源ユニット２２交換後に電動リール１００が初期化されることがない。
【符号の説明】
【００４５】
１  リール本体
２  ハンドル
３  スタードラグ
４  カウンタケース
５  速度調整レバー
６  表示部
７  フレーム
７ａ  第１側板
７ｂ  第２側板
７ｃ  第１連結部材
７ｄ  第２連結部材
８ａ  第１側カバー
８ｂ  第２側カバー
８ｃ  膨出部
９  前カバー
９ａ  開口部
１０  スプール
１１  クラッチ操作部材
１２  モータ
１３  レベルワインド機構
１４  竿取付脚部
１９  リールコネクタ部
２０  バッテリ
２１  本体部
２１ａ  第１本体
２１ｂ  バッテリコード
２１ｃ  第１端子部
２１ｄ  第２端子部
２１ｅ  制御部
２１ｆ  係止部
２１ｇ  突起部
２１ｈ  雌ねじ部
２１ｉ  連結部
２１ｊ  固定部
２２  電源ユニット
２２ａ  第２本体
２２ｂ  電池
２２ｃ  第３端子部
２２ｄ  保護装置
２２ｅ  被係止部
２２ｆ  通電スイッチ
２２ｇ  雄ねじ部
２３  固定手段
３０  バッテリ取付手段
３１  第１取付部
３２  第２取付部
１００  電動リール
Ｒ  釣竿
ＳＷ１  第１スイッチ
ＳＷ２  第２スイッチ
【図１】
2013153667.tif 000003
【図２】
2013153667.tif 000004
【図３】
2013153667.tif 000005
【図４】
2013153667.tif 000006
【図５】
2013153667.tif 000007
【図６】
2013153667.tif 000008
【図７】
2013153667.tif 000009
【図８】
2013153667.tif 000010